(57)【要約】【課題】大衆娯楽となったパチンコ遊戯を環境悪化の激しいパチンコホールに於いてプレイする事なく、環境の良い自宅に於いてインターネットに接続したパソコンを使ってパチンコ遊戯を楽しむようにする。【解決手段】インターネットに接続したパソコンを活用してパチンコホール管理会社のホームページ上にて指定の銀行に遊戯資金をインターネット振込みして個人登録をし、パソコンにより玉打ちハンドルを操作して、パチンコ玉の打出し玉と当り玉、流れ球等の状況をパチンコ機台の向側に設置された送信用カメラからの映像を遊戯者のパソコンに表示する、前回の繰越資金、繰越玉とインターネット振り込み資金、買い玉、当り玉、打込み玉等の一覧表を変化に応じて常時表示する、更に商品との交換明細、資金の還元明細、次回繰越資金、玉数等の一覧表を最後に表示して遊戯者に遊戯中の情報が的確に掌握できる様にする。【選択図】  図３
2005319093.tif 000002
【特許請求の範囲】
【請求項１】
遊戯者はインターネットに接続したパソコンからパチンコホール施設運営管理者のインターネットのホームページを開いて特定の遊戯ホールを選定して、ホール以外の場所に於いてインターネットに接続したパソコンを操作して遊戯する事を可能にするために次ぎの装置を設置する。
１−（A）パチンコ機台を並列（１、２、３、４、５、６、７）に並べ、その上に数段積み重ねて設置し、対面側にも同様にパチンコ機台を並列に並べて、その上に数段積み重ねて設置して、表面が向かい合う様に配置する、その並列に設置された各パチンコ機台と各パチンコ機台の間に、その高さの中間点にインターネット送信用カメラ（８、９、１０、１１、１２、１３、１４、２１、２２、２３、２４、２５、２６）を設置して相対するパチンコ機台表面の玉の行動性を認識出来る様に映像にして遊戯者のインターネットに接続したパソコンに送信出来るようにして遊戯者のモニターに動画として表示する。
同時に遊戯中のパチンコ機台に玉を打込む音・流れ玉又当り玉から出る音などは遊戯者の希望により制御出来る様にしてイヤホンにても聴取できる。
（B）各パチンコ機台に一定数量１００個から２００個程度の様にパチンコ玉数を限定して収容して、各パチンコ機台毎に一定数量のパチンコ玉を循環して再使用して打込み玉・当り玉等の集計は各パチンコ機台に設備された小型コンピュウターと集中大型コンピュウターによって処理されて一覧表にしてパチンコ機台の表面の一部に表示されると同時に遊戯者のモニターにも表示されて遊戯者には認識しやすくする。  
（C）パチンコ機台は横列に数１０台、その上に数段積み重ねて配列して対面する様に設置する、そしてパチンコ機台とパチンコ機台との間の上下中間点に設置した送信用カメラから相対するパチンコ機台の前面に表示された符号番号が遊戯者に認識出来る様にして、遊戯者は符号番号を指定してパチンコ機台を決定して遊戯を始める事が出来る。
（D）パチンコ機台の保守点検はパチンコ機台の背面で行い、横列の数１０台、縦列に数段積み上げたパチンコ機台の裏面と裏面の間隔を１ｍ程度確保する、そして１ｍ程度の間隔のスペースを利用して保守要員は前後と上下に自由に移動が出来る様に、パチンコ機台の符号番号を指定して椅子に設置された制御盤を操作して椅子に腰掛けた状態で保守点検の必要なパチンコ機台の裏面に迅速に移動してパチンコ機台を裏面側から保守点検する又パチンコ機台前面の保守点検にはパチンコ機台を裏面側に９０度以上開いて表面をカバーするガラス扉を開いて保守点検を行い完了後は元の位置に収納して終了すると同時に送信用カメラの保守点検も同時に行う。
（E）各パチンコ機台がホームページを開いてパチンコ機台を選択する時点で、そのパチンコ機台が遊戯中であるか、休止中であるかが認識出来る様に全部のパチンコ機台を表示して見る場合と、遊戯中のパチンコ機台は除外して表示されない場合とを選択する事ができる。
そして設置されている各パチンコ機台の全機種を表示して、遊戯者の志向によって機種を選択する事が出来るように表示する事もできる。
２−（A）パチンコ玉の打ち出し速度を調節するハンドル操作は遊戯者のインターネットに接続したパソコンによってモーターの回転を制御して行い、遊戯者のモニターに於いて操作画面の目盛り移動を垂直スクロールバー又は水平スクロールバー等によって行う。
（B）パチンコホール施設管理会社では各遊戯者のインターネットに接続されたパソコンからパチンコ機台の玉打ちハンドル操作と対応する送信用カメラとを総合的に管理運用すると同時に資金、買い玉、打込み玉、当り玉、残玉、商品交換、資金化等の情報数値を一括管理する事の出来るコンピュウターシステムを設置して運営する。
３−（A）前回繰越資金、繰越玉数の表示と、新規の遊戯資金の銀行口座振込み金額明細と買玉数等を回数別に以下の様に表示する、そして合計玉数も常時表示する。
資金量、買玉数を回数別に１回・２回・３回と表示し合計玉数も表示する、次は２回・３回・４回と玉数を表示し４回までの合計玉数も表示する、その次は３回・４回・５回の玉数を表示して５回までの合計玉数も表示し、以降順次回数と玉数の明細を表示して買玉数の合計を確認が出来る様にする。
（B）当り玉数を個別に１回目・２回目・３回目の当り玉数とその合計玉数を表示し、次は２回目・３回目・４回目の当り玉数と４回までの合計玉数を表示する、その次は３回目・４回目・５回目の当り玉数と５回までの合計玉数の様に順次表示するので、当り玉の合計玉数が直視できる。
（C）繰越玉数と買玉総数の合計に当り玉合計を加算した総合計から総打込み数を常時表示して差し引き残玉数も同時に表示する。
また毎回の当り玉に対しての打込み玉数の表示も行う。
４−（A）遊戯が終了すると差し引き取得した残玉数と交換する商品を選定して精算をすれば、その結果を集計した精算一覧表を表示する。
商品の価額と交換玉数の一覧表はモニターに表示されて遊戯者は確認して選択する事ができる。
商品の個別交換玉数の小計と、その合計を表示し、最終残玉数から交換玉数の合計を差し引いた次回までの繰越玉数も表示する。
(B)遊戯者は交換した商品を特定の会社に売却して、その資金を銀行インターネット振込み口座に振り込みを依頼する事が出来る。
(C)遊戯者は交換した商品を宅配便にて配送を依頼する事が出来る。
上記の機能を特徴とするインターネットパチンコ遊戯装置。
【請求項２】
「請求項１」の機能にパチンコ機台の玉打ちハンドル（３７）部分のみを専用の基盤に取り付けた装置即ち玉打ちハンドル操作盤（３８）をパソコンに接続して、インターネットを通じてパチンコ機台の玉の打ち出し速度を、その玉打ちハンドル（３７）の操作によって可能にする事を特徴とするインターネットパチンコ遊戯装置。
【発明の詳細な説明】
【技術分野】
【０００１】
本発明は、パチンコ機の遊戯をパチンコホールでなく個人的にインターネットを通じて個人のパソコンで楽しむ事が出来る様にする。
【背景技術】
【０００２】
環境の悪いパチンコホールでは無く、日本国内及び海外を問はず個人のパソコンで常時接続のインターネットを通じてパチンコ遊戯を楽しむ事を可能にする。
【０００３】
【特許文献１】特開２００１−２８６６６２
【特許文献２】特開２００２−３３１０７６
【発明の開示】
【発明が解決しようとする課題】
【０００４】
環境の悪いパチンコホールではない環境の良い場所でパチンコ遊戯が出来るように個人のパソコンとインターネットを活用にてゲームが出来るようにする。
【課題を解決するための手段】
【０００５】
インターネットに接続した各個人のパソコンを活用してパチンコ遊戯を楽しむ事が出来る様にパチンコホール管理会社のホームページ上にて指定の銀行に遊戯資金をインターネット振込みにより個人登録をすませて、インターネットに接続したパソコンを操作してパチンコ機台の玉打ちハンドルの操作を行い、パチンコ玉の打ち出しとパチンコ機台の表面を流動して当り玉・流れ玉等の状況をパチンコ機台に対向して設置された専用の送信用カメラからの映像を各個人のパソコンに表示してパチンコホールにて遊戯していると同様の操作での楽しみ方を可能にする。
更に前回からの登録済み繰越資金、繰越玉、新規資金、買い玉、打込み玉、当り玉等の一覧表を変化に応じて常時表示する、更に商品との交換明細、資金の還元明細、次回繰越玉数、繰越資金等の一覧表を最後に表示して遊戯者に遊戯中と終了後の情報が的確に掌握できる様にする。
【発明の効果】
【０００６】
大衆娯楽となったパチンコ遊戯がストレス解消になる面もあるが、パチンコホールの環境悪化は深刻な問題であるが解決が困難であり、インターネットに接続した各個人のパソコンを活用して個別にパチンコ娯楽が楽しめれば環境問題は勿論のことパチンコホールまで出向く時間と交通費用等の問題も一挙に解決できるメリットは大である。
【発明を実施するための最良の形態】
【０００７】
多数の遊戯者で混雑して騒音が激しく環境が著しく悪いパチンコホールでは無く、各個人が環境の良い場所に於いてインターネットに接続したパソコンを使用してパチンコホールでなくてもパチンコ遊戯が楽しめるようにする。
【実施例】
【０００８】
パチンコ遊戯者はパチンコホール施設運営管理者のインターネットホームページを開いて特定の遊戯ホールを選定し、遊戯資金を指定口座にインターネット振り込みを実行して会員登録を行って、ホール以外の場所に於いてインターネットに接続したパソコンを操作してパチンコ遊戯を行う。
【０００９】
パチンコ機台を並列に設置し、対面側にも同様にパチンコ機台を並列に数１０台設置し、パチンコ機台の表面が向かい合う様に配置して、更にその上部に数段縦に積み重ねて設置する、そのパチンコ機台とパチンコ機台の間の高さの中間点にインターネット送信用カメラを設置して相対するパチンコ機台表面の玉の行動性を認識出来る様に映像にして遊戯者のパソコンにインターネット送信が出来るようにして遊戯者のモニターにその映像を表示する。
【００１０】
パチンコ機台の保守点検はパチンコ機台の背面にて行い、横列に数１０台、縦列に数段積み上げたパチンコ機台の裏面と裏面の間隔を１ｍ程度確保する、そして１ｍ程度の間隔のスペースを利用して保守要員は前後と上下に自由に移動ができる椅子に腰掛けて、保守点検の必要なパチンコ機台の裏面に椅子に取り付けた自動制御盤を操作して迅速に移動出来るのでパチンコ機台を裏面側から保守点検する事が容易にできる又パチンコ機台前面の保守点検にはパチンコ機台を裏面側に９０度以上開いて表面をカバーするガラス扉を開いて保守点検を行い完了後は元の位置に収納して終了する、同時に送信用カメラも保守点検する事が出来る。
【００１１】
パチンコ玉の打ち出し速度を調節するハンドル操作は遊戯者のインターネットに接続したパソコンによってパチンコ機台のハンドルを操作するモーターの回転を制御して行い、遊戯者のモニターに於いて操作画面の目盛り移動を垂直スクロールバー又は水平スクロールバーにて行う。
【００１２】
繰越資金、遊戯資金の銀行口座振込み金額明細と、その金額による買玉数を、回数別に１回・２回・３回と表示し合計玉数も表示する、次は２回・３回・４回と玉数を表示し４回までの合計玉数も表示する、その次は３回・４回・5回の玉数を表示して５回までの合計玉数も表示して以降順次回数と玉数の明細を表示して買玉数の合計を確認が出来る様にする、そして既に会員登録して前回の繰越玉数がある場合はその玉数と合計した玉数も常に表示すると同時に総打込み玉数、当り玉数と残玉数も一覧表にして表示する。
【００１３】
当り玉数を個別に１回目・２回目・３回目の当り玉数とその合計玉数を表示し、次は２回目・３回目・４回目の当り玉数と４回目までの合計玉数を表示する、その次は３回目・４回目・５回目の当り球数と５回目までの合計玉数を表示する様に順次表示するので、当り玉数の総合計玉数がモニター上で直視出来る様にする。
【００１４】
繰越玉数、買玉数の合計、打ち込み玉数、当り玉数、残玉数等を一覧表にして遊戯者のモニターに表示して常にプレイの正確な結果を掌握出来る様にする。
【００１５】
遊戯が終了すると取得した残玉と交換する商品を選定して精算をすればその結果を集計して精算一覧表を表示する。
交換商品の金額と交換玉数の一覧表を遊戯者はモニター上にて確認して希望に応じて選定する事が出来るようにする。
商品の個別交換玉数の小計と合計及び繰越玉数があれば同時に表示する。
【００１６】
遊戯者は交換した商品を特定の会社に売却して、その資金を銀行のインターネット振込み口座に振り込みを依頼する事が出来る。
【００１７】
遊戯者は交換した商品を宅配便にて配送を依頼する事が出来る様にする。
【００１８】
上記「実施例」の機能にパチンコ機台の玉打ちハンドル部分のみを専用の基盤に装置しパソコンに接続してインターネットを通じてパチンコ機台の玉の打ち出し速度をそのハンドル操作によって行う。
そして実際にパチンコホールのパチンコ機台のハンドルを操作しているような雰囲気と気持ちになることが出来る。
【産業上の利用可能性】
【００１９】
環境問題が深刻になり、パチンコホールに於いてもタバコの煙、騒音、多数の遊戯者が集合して空気の汚染が深刻な問題となっている現状を各遊戯者が個別に環境の良い場所にて遊戯を楽しむ事が出来れば有益となる。
【図面の簡単な説明】
【００２０】
【図１】パチンコ機台の正面図
【図２】並列パチンコ機台の平面図
【図３】積層パチンコ機台の側面図
【図４】玉打ちハンドルの斜視図
【符号の説明】
【００２１】
並列パチンコ機台の平面
４a、7a、１５、１６、１７、１８、１９、２０  縦列パチンコ機台の側面
８、９、１０、１１、１２、１３、１４、２１、２２、２３、２４、２５、２６  送信用カメラ
２７  パチンコ機台
２８、３７  玉打ちハンドル
３０、３１、３２、３３、３４、３５  データー表示板
３６  連結線
３８  玉打ちハンドル操作盤
３９、４０  架台
【図１】
2005319093.tif 000003
【図２】
2005319093.tif 000004
【図３】
2005319093.tif 000005
【図４】
2005319093.tif 000006